(57)【要約】      （修正有）【課題】凧の尻尾を有効活用することで、凧本来の機能に加えて、他の特別な機能や価値を付与することができる多機能な凧を提供する。【解決手段】凧本体２と、凧本体２に設けられる尻尾３と、を備えた小型の多機能凧であって、尻尾３が帯状に形成され、その表面には複数の文字３ｂ、３ｃ、３ｄが記載されていることを特徴とする。【選択図】図１
0003178754.tif 000002
【実用新案登録請求の範囲】
【請求項１】
凧本体と、凧本体に設けられる尻尾と、を備えた小型の凧であって、
前記尻尾が帯状に形成され、その表面には複数の文字が記載されていることを特徴とする、小型の多機能凧。
【請求項２】
前記尻尾が折り畳まれ、前記文字の少なくとも一部が隠されていることを特徴とする、請求項１に記載の小型の多機能凧。
【請求項３】
前記尻尾が折り畳まれ、帯封又は粘着剤により折り畳み状態が保持されていることを特徴とする、請求項１又は２に記載の小型の多機能凧
【請求項４】
前記尻尾が袋に収容され、前記文字の少なくとも一部が隠されていることを特徴とする、請求項１〜３の何れかに記載の小型の多機能凧。
【請求項５】
前記尻尾の折り畳み線が、尻尾の長さ方向と交差していることを特徴とする、請求項２〜４の何れかに記載の小型の多機能凧。
【請求項６】
前記凧本体と、尻尾と、凧糸とが保護袋に収容されていることを特徴とする、請求項１〜５の何れかに記載の小型の凧。
【請求項７】
前記保護袋の少なくとも一部が透明又は着色透明であり、前記尻尾の少なくとも一部が前記保護袋から突出していることを特徴とする、請求項６に記載の小型の凧。
【考案の詳細な説明】
【技術分野】
【０００１】
本考案は、小型の凧に関し、特に、凧として使用する本来の機能と他の機能とを備える小型の多機能凧に関する。
【背景技術】
【０００２】
従来の和凧として、竹の骨組みに和紙を張った凧が広く知られている。
特許文献１には、六角形の和凧の例が示されている。この和凧は、凧本体と、凧本体の下部中央に設けられた細長い尻尾とを備えている。凧本体は、竹の骨組みに和紙を張り、凧糸を取り付けた構成である。
【０００３】
竹の骨組みは、六角形の各頂点を結ぶように組まれ、その骨組み及び和紙を含めて全体が背面側へ湾曲する形状に保持されている。なお、凧本体の安定性を保つための尻尾は、和紙の他に、近年ではビニール等で形成された細長い帯状の樹脂シート等も用いられている。
【０００４】
特許文献２には、小型、軽量で、簡単に製作できる、骨組みの無い凧の技術が記載されている。この骨組みの無い凧は、発砲合成樹脂シートを素材とする本体の両側に、同じく発砲合成樹脂シートを素材とする側体を観音開きの形態で設け、両側体の前端部に糸目糸を係合することで、骨組みを無くす構造とした凧の技術が記載されている。
【先行技術文献】
【特許文献】
【０００５】
【特許文献１】登録実用新案公報第３０２１１７８号
【特許文献２】特開２００３−４７７８５
【考案の概要】
【考案が解決しようとする課題】
【０００６】
ところで、小型の和凧の中でも、手の平サイズの和凧は、室内等でも手軽に凧上げできることから、その人気が高まりつつある。
しかし、このような既存の凧は、個人的に凧上げして楽しむか、大会での競技を楽しむかの何れかで、凧本来の機能以外の機能は備えていないのが普通である。
【０００７】
また、店で販売されている凧の状態に着目してみても、単にビニール袋などに入れて販売されているだけであり、それ以外に特別な価値や機能は装備されていないのが実情である。
【０００８】
よって、本考案は、凧の尻尾を有効活用することで、凧本来の機能に加えて、他の特別な機能や価値を付与することができ、これにより、凧全体の機能及び価値を高めることができる、多機能凧を提供することを課題とする。
【課題を解決するための手段】
【０００９】
上記課題を解決するために、本考案は、凧本体と、凧本体に設けられる尻尾と、を備えた小型の凧であって、前記尻尾が帯状に形成され、その表面には複数の文字が記載されていることを特徴とする。
【００１０】
本考案によれば、前記尻尾を帯状に形成することで、凧に必要な尻尾の機能を発揮させることができる。しかも、帯状の尻尾としてその表面に、例えば「おみくじ」や「合格祈願」、「広告」などの特別に意味のある複数の文字を記載することで、この文字付き尻尾に、尻尾以外の機能を発揮させることができる。即ち、尻尾本来の機能に加えて、「おみくじ」としての機能や、「合格祈願」としての機能、あるいは広告機能等の各種機能を発揮させることができる。
【００１１】
本考案の好ましい形態では、前記尻尾が折り畳まれ、前記文字の少なくとも一部が隠されていることを特徴とする。
このように、尻尾を折り畳んで、文字の少なくとも一部を隠すことで、「おみくじ」や「合格祈願」のように、表題以外は隠しておきたい文字を有する場合に好適な形態とすることができる。さらに、尻尾を折り畳むことで、特に販売時において好適な形態とすることができる。
【００１２】
本発明の好ましい形態では、前記尻尾が折り畳まれ、帯封又は粘着剤により折り畳み状態が保持されていることを特徴とする。
このように、尻尾の折り畳み状態を帯封又は粘着剤等により保持することで、尻尾を折り畳んで、隠しておきたい文字をしっかりと保護することができる上に、開封も容易に行うことができる。
【００１３】
本発明の好ましい形態では、前記尻尾が袋に収容され、前記文字の少なくとも一部が隠されていることを特徴とする。
このように、尻尾を袋に収容する形態とした場合、尻尾を折り畳んでも折り畳まなくても文字の一部又は全部を隠すことができる。文字の全部を袋で隠した場合でも、袋の表面に、例えば「おみくじ」や「合格祈願」などと記載することで、その機能を発揮させることができる。
【００１４】
本発明の好ましい形態では、前記尻尾の折り畳み線が、尻尾の長さ方向と交差していることを特徴とする。
このように、尻尾の折り畳み線を、尻尾の長さ方向と交差させることで、帯状の尻尾をその長さ方向に重ねるようにして複数に折り畳む形態とすることができる。これにより、表題以外は隠しておきたい文字を有する場合に好適な形態と、販売時において好適な形態の両方を満足する形態とすることができる。
【００１５】
本発明の好ましい形態では、前記凧本体と、尻尾と、凧糸とが保護袋に収容されていることを特徴とする。
このように、凧本体と、尻尾と、凧糸とを保護袋に収容することで、販売に便利な形態とすることができる。
【００１６】
本発明の好ましい形態では、前記保護袋の少なくとも一部が透明又は着色透明であり、前記尻尾の少なくとも一部が前記保護袋から突出していることを特徴とする。
このように、保護袋の少なくとも一部を透明又は着色透明とし、尻尾の少なくとも一部を保護袋から突出させた構成とすることにより、例えば、折り畳んだ尻尾に「おみくじ」や「合格祈願」の機能を持たせた場合に、その部分がより目立つようにすることができる。
【考案の効果】
【００１７】
本考案によれば、凧の尻尾を有効活用することで、凧本来の機能に加えて、他の特別な機能や価値を付与することができ、これにより、凧全体の機能及び価値を高めることができる、多機能凧を提供することができる。
【図面の簡単な説明】
【００１８】
【図１】本考案の実施形態１に係る小型の多機能凧を示すもので、（ａ）は尻尾の折り畳み状態の正面図を、（ｂ）は凧上げ時の状態の正面図である。
【図２】本考案の実施形態１に係る小型の多機能凧の背面図である。
【図３】本考案の実施形態１に係る小型の多機能凧を保護袋に収容した状態の正面図である。
【図４】本考案の実施形態２に係る小型の多機能凧を示すもので、（ａ）は尻尾の折り畳み状態の正面図を、（ｂ）は凧上げ時の状態の正面図である。
【図５】本考案の実施形態２に係る小型の多機能凧を保護袋に収容した状態の正面図である。
【考案を実施するための形態】
【００１９】
以下、本考案の実施形態について図１ないし図５を参照して説明する。
＜実施形態１＞
図１、図２及び図３は、本考案の実施形態１に係る、おみくじの機能を持たせた小型の多機能凧を示すものである。
【００２０】
この多機能凧１は、凧本体２と、凧本体２に設けられる尻尾３と、凧糸６と、糸巻７とを備え、尻尾３が細長い帯状に形成され、その表面には複数の文字が記載されている。次いで、これらの詳細について説明する。
【００２１】
多機能凧１は、和凧として構成され、その凧本体２の部分が、正面からみて正六角形に形成されている。凧本体２の細長い帯状の尻尾３は、凧本体２の下部中央に設けられている。凧本体２は、図２に示すように、細くて薄い軽量な骨組み４に薄いシートや和紙等の軽量紙５を張り、凧糸６を取り付けた構成である。７は糸巻を示している。凧本体２の軽量紙５には、その表側に、例えば朱色を主体とした蛇の図柄Ｐが印刷されている。
【００２２】
尻尾３は、図１（ｂ）に示すように、薄い紙や樹脂シート等により細長い帯状に形成されると共に、その表面には特別に意味のある文字が複数記載されている。そして、尻尾３は、この実施形態では、図１（ａ）に示すように、長方形の表面が形成されるように複数枚に折り重ねて畳み込まれている。尻尾３の折り畳み線３ａは、尻尾３の長さ方向と交差（直交）している。これにより、この折り畳み線３ａから折り畳んだ状態において、尻尾３の表面の文字は、おみくじの文字３ｂを残して、他の文字３ｃ、３ｄ等がきれいに隠されている。
【００２３】
尻尾３が折り畳まれた状態で、図示しない粘着剤により折り畳み状態が保持されている。この折り畳み状態は、粘着剤に限らず、例えば帯封などにより保持するようにしても良い。また、尻尾３を袋に収容して、文字３ｃ、３ｄ等を隠す構成としてもよい。その場合には、袋の表面に「おみくじ」の文字３ｂを記載することができる。
【００２４】
図３は、この小型の多機能凧１を保護袋８に収容した状態の正面図を示している。この保護袋８は、凧名や神社名等を印刷した紙の部分８ａと、透明シート部８ｂと、内部の型紙８ｃとを有している。透明シート８ｂの下部には折り畳んだ状態の尻尾３を、保護袋８の外へ突出させるためのスリット８ｄが設けられている。
【００２５】
図４及び図５は本考案の実施形態２に係る、合格祈願の機能を持たせた小型の多機能凧を示すものである。なお、この実施形態２において、実施形態１と基本的に同一の構成要素については、同一の符号を付してその説明を簡略化する。
【００２６】
この実施形態２では、おみくじの文字に代えて合格祈願とし、蛇の図柄Ｐに代えてだるまの絵柄Ｐ１としたものである。さらに、帯状の尻尾３の隠れた表面に記載している文字３ｃ、３ｄを合格祈願に相応しい内容としたものである。
【００２７】
以上の実施形態によれば、尻尾３を帯状に形成することで、凧に必要な尻尾の機能を発揮させることができる。しかも、帯状の尻尾３としてその表面に、「おみくじ」や「合格祈願」、「広告」などの特別に意味のある複数の文字を記載することで、この文字付き尻尾３に、尻尾以外の機能を発揮させることができる。即ち、尻尾本来の機能に加えて、「おみくじ」としての機能や、「合格祈願」としての機能、あるいは広告機能等の各種機能を発揮させることができる。
【００２８】
おみくじの場合、このように文字の一部を「おみくじ」３ｂとし、残りの文字を大吉、中吉、小吉、吉といった文字３ｃの他に、運勢等や願い事等、おみくじに使用される文字３ｄを記載しておくことで、尻尾自体をおみくじとして機能させることができる。
【００２９】
また、このように、尻尾３を折り畳んで、文字の少なくとも一部を隠すことで、「おみくじ」や「合格祈願」３ｂのように、表題以外は隠しておきたい文字を有する場合に好適な形態とすることができる。さらに、尻尾３を折り畳むことで、特に販売時において好適な形態とすることができる。
【００３０】
また、尻尾３の折り畳み状態を帯封又は粘着剤等により保持することで、尻尾を折り畳んで、隠しておきたい文字をしっかりと保護することができる上に、開封も容易に行うことができる。
【００３１】
また、尻尾３を袋に収容する形態とした場合、尻尾３を折り畳んでも折り畳まなくても文字の一部又は全部を隠すことができる。文字の全部を袋で隠した場合でも、袋の表面に、例えば「おみくじ」や「合格祈願」などと記載することで、その機能を発揮させることができる。
【００３２】
また、尻尾３の折り畳み線３ａを、尻尾３の長さ方向と交差させることで、帯状の尻尾３をその長さ方向に重ねるようにして複数に折り畳む形態とすることができる。これにより、表題以外は隠しておきたい文字を有する場合に好適な形態と、販売時において好適な形態の両方を満足する形態とすることができる。
【００３３】
また、凧本体２と、尻尾３と、凧糸６とを保護袋８に収容することで、販売に便利な形態とすることができる。
【００３４】
また、保護袋８の少なくとも一部を透明又は着色透明とし、尻尾３の少なくとも一部を保護袋から突出させた構成とすることにより、図３、図５のように折り畳んだ尻尾に「おみくじ」や「合格祈願」の機能を持たせた場合に、その部分がより目立つようにすることができる。
【００３５】
なお、尻尾３は、その基端部を凧本体２に糊付け等で簡単に取り付けることができる。したがって、尻尾３については、おみくじの機能を持たせた尻尾か、合格祈願の機能を持たせた尻尾か、広告の機能を持たせた尻尾か、を単に選択して、凧本体２に取り付けるだけで済む利点もある。
【符号の説明】
【００３６】
１  多機能凧
２  凧本体
３  尻尾
４  骨組み
５  軽量紙
６  凧糸
８  保護袋
【図１】
0003178754.tif 000003
【図２】
0003178754.tif 000004
【図３】
0003178754.tif 000005
【図４】
0003178754.tif 000006
【図５】
0003178754.tif 000007